(57)【要約】【課題】  従来，写真立て等のスタンドには，手軽に使用できるものは見当たらない。  手軽に，安全に，経済的に使用できるとともに，任意の傾きでスタンドを立てることができる，２枚の紙質又は樹脂膜片等の板状材を使用した，簡易スタンドを提供する。【解決手段】  ２枚の厚めの長方形の紙質又は樹脂膜片等の板状材を貼り合わせ，中に補助支脚脚を挟み込むことにより，開閉脚が支脚部を設けた簡易スタンドであることを特徴とする。  この簡易スタンドは，収納式の支脚部により，使用時は支脚を開き，非使用時は閉じることにより，平坦な板状体になる。【選択図】図４
0003137831.tif 000002
【実用新案登録請求の範囲】
【請求項１】
厚めの長方形の紙等の２枚の板状材を貼り合わせ，薄めの長方形の紙等を２つ折りにして挟み込んだ補助支脚部により，開閉脚が可能な支脚部を有する簡易スタンドであり，
（１）厚めの長方形の紙質又は樹脂膜片等の板状材を，１枚は表台紙とし，もう１枚は裏台紙兼支脚部とする。
（２）（１）の裏台紙は，下部辺の左端を起点として，同じ長さ，同じ角度のネクタイ状の舌部を切り上げ支脚部を形成する。
（３）（１）の２枚の台紙を，ネクタイ状の舌部を残し貼り合わせる。
（４）薄めの長方形の紙は，（１）の紙の，おおよそ２分の１の長さとし，２つ折りにして，（１）の内側に挟みこみ，下部を表台紙の左端及び裏台紙の支脚部の先端と貼り合わせることにより，補助支脚部を形成する。
以上の構成からなる，２枚の紙等の板状材と薄めの紙等で作る，開閉脚が可能な支脚部を設けた簡易スタンド。
【請求項２】
請求項１記載の厚めの長方形の紙等の２枚の板状材において，
（１）表台紙は展示しようとするものと合体させるための台紙の役割を，裏台紙は表台紙を保持するための台紙の役割と開閉脚が可能な支脚部の役割を担わせる。
（２）２つ折りにした薄めの帯状の紙は，両外側の下部に適当な幅の糊代を取り，（１）の台紙の両内側に挟みこみ，下部を表台紙の左端及び裏台紙の支脚部の先端と貼り合わせることにより自由に開脚角度を調節でき，一定角度以上の開脚の防止が可能である補助支脚部の役割を担わせる。
（３）支脚部のより安定した開脚角度の保持を図るため，（２）の補助支脚部の上部折曲部を３等分する位置において，頂点から適当な長さを有する２本の垂線を切り下げる。
これにより，３つの頂点部が形成されるが，そのうちの中央部分を，頂点が逆さまになるよう内側に２つ折りにする。
（４）使用時には，裏台紙に収納された支脚部を開く。また，非使用時には，閉脚することにより裏台紙に収納され平坦になる。
以上の構成からなる，２枚の紙等の板状材と薄めの紙等で作る，収納式の支脚部を有し，手軽に，安全に使用できることを特徴とする請求項１記載の簡単スタンド。
【考案の詳細な説明】
【技術分野】
【０００１】  この考案は，２枚の紙等の板状材と薄めの紙等で作る簡易スタンドで，裏台紙に，ネクタイ状の支脚部を設けることにより，任意の傾きでスタンドを立てることができ，さらに，縦位置でも横位置でも使うことのできる，紙質又は樹脂膜片等の板状材を使用した，手軽に使用できる軽くて丈夫な簡易スタンドに関するものである。
【背景技術】
【０００２】  従来，写真やポストカ−ド等を立てて展示しようとする場合，紙や木製等のスタンドを使うしかなく，手軽に使用できるスタンドは見当たらなかった。
【考案が解決しょうとする課題】
【０００３】  これらは，次のような問題点があった。
木，樹脂製の支脚部を有したものは，必要以上に頑丈な構造になっており，値段も高くなっている。また，ガラスをはめ込んだものも多い。
また，スタンドの組立に手間と時間を要し，さらに，写真等の差し替えに手間がかかる。
本考案は，以上のような欠点をなくし，手軽に，安全に，経済的に使用できるようにしたものである。
【課題を解決するための手段】
【０００４】（１）厚めの長方形の紙質又は樹脂膜片等の板状材を２枚及びおおよそ２分の１の長さを有する薄めの長方形の紙質又は樹脂膜片等の板状材を１枚用意する。
（２）（１）の厚めの板状材は，１枚は表台紙とし，もう１枚は裏台紙兼支脚部とする。
表台紙は展示しようとするものと合体させるための台紙の役割を，裏台紙は開閉脚が可能な支脚部の役割を担わせる。
（３）（２）の裏台紙は，下部辺の左端を起点として，同じ長さ，同じ角度のネクタイ状の舌部を切り上げ支脚部を形成する。
（４）（２）の２枚の台紙を，（３）のネクタイ状の舌部を残し貼り合わせる。
（５）薄めの長方形の紙を縦長の状態で２つ折り（逆Ｖ字型）にし，支脚部を補完する補助支脚部を形成する。
このため，２つ折りにした紙の両外側の下部に適当な幅の糊代を取り，表台紙の左端及び裏台紙の支脚部（ネクタイ状の舌部）の先端と貼り合わせる。
このようにして，自由に開脚角度を調節でき，一定角度以上の開脚の防止が可能である補助支脚部が形成される。
（６）（５）の補助支脚部の上部折曲部に，頂点から適当な長さを有する２本の垂線を切り下げる。これにより，３つの頂点部が形成されるが，そのうちの中央部分を，頂点が逆さま（Ｖ字型）になるよう内側に２つ折りにする。
このようにして，折曲部周辺に複数の折曲部があたかもパンタグラフのように形成され，支脚部のより安定した開脚角度の保持が図られる。
（７）使用時には，裏台紙に収納された支脚部を開く。また，非使用時には，閉脚することにより，支脚部が裏台紙に収納され平坦になる。
【考案を実施するための最良の形態】
【０００５】以下，本考案を実施するための最良の形態について説明する。
（１）写真等を展示しようとする場合，裏台紙に収納された支脚部を開く。
（２）スタンドの傾き角度は，支脚部の開きの大小により調節する。
内蔵式の補助支脚により，一定以上の開脚は防止されるとともに，必要な角度での開脚が保持される。
（３）写真等のスタンドをしまう場合は支脚部を閉じる。これにより支脚部が裏台紙に収納され，平坦な板状体となる。
【考案の効果】
【０００６】  デジカメ，プリンタ−の急激な普及等により，写真の愛好者が増えている。
特に，カ−ドサイズやミニサイズの写真をプリントして楽しむ人も多い。
写真は，撮る楽しみ，見る楽しみ，飾る楽しみ，人にあげる楽しみがあり，そのための器材は整っているが，手軽に，安全に，経済的に使用できるスタンドは見当たらない。
また，ポストカ−ド，絵手紙，絵葉書等も，人気があるものの，手軽に，安全に，経済的に使用できるスタンドは見当たらない。
市販されている各種スタンドは，使用する際に手間がかかり，さらに，写真等のはめ込みにも手間と時間を要する等，手軽には使えない。
また，ガラスをはめ込んだものもあり危険である。
本考案の簡易スタンドは，収納式の支脚部が開いたり閉じたりする構造で，使用時には内蔵されている補助支脚に支えられた支脚部が台紙を保持し，また，非使用時には支脚部が収納され，平坦になる等，デザイン的にもすっきりしている。
本考案は，次のような特徴を持っている。
（１）手軽に使え，丈夫である。
（２）安全である。
（３）何回でも使える。
（４）安価である。
さらに，この簡易スタンドの応用例としては，
（１）２枚の紙等で作る簡易スタンドは，目的に合った各種サイズや材質のものを用意することにより，プライスカ−ド，ネ−ムカ−ドから写真やポストカ−ド等の展示物まで，各種の展示物を簡単に展示することができる。
（２）裏台紙について，支脚部の位置を中央部とし，中央部分で，左右対称にハの字型に切り下げ，扇状の台形になった支脚部の先端に補助支脚部を貼りつけることにより，横位置専用の簡易スタンドとなる。
（３）表台紙に，表示窓を設けた台紙を貼りつける。この場合，上部辺を写真等の差し込み口にするため，糊代を取らずにおくことにより，差し込み式簡易スタンドとなる。
また，一回り小さな表示窓を設けた台紙を貼ることにより，写真等の差し込みがし易い簡易スタンドとなる。
（４）裏台紙に設ける支脚部の位置を図５に示すとおり，支脚を切り下げることなく，下辺からおおよそ５ミリメ−トルほど残して，切り抜くことにより，やや短めの支脚部が形成され，スタンドがより傾斜する。
（５）両面カラ−のクラフト紙等と一回り小さいサイズの厚紙を貼り合わせて作る簡易スタンドも考えられる。
大きなサイズのクラフト紙等を表台紙とする場合，裏台紙兼支脚部においてやや短めの支脚部が形成され，スタンドがより傾斜する。
また，大きなサイズのクラフト紙等を裏台紙とする場合，表台紙は裏台紙の中央部に貼りつけ，両紙の間にはさみ込む補助支脚部は，表台紙の底辺部に揃え外部から見えないようにする。
（６）補助支脚については，長さの異なる２枚の帯状の紙をそれぞれ２つ折りにし，長めのものを上部に，短めのものを下部に使用することにより，二段式のより丈夫な補助支脚部が構成される。
【図面の簡単な説明】
【０００７】
【図１】    本考案の簡易スタンドの正面図である。
【図２】    本考案の簡易スタンドの背面図である。
【図３】    本考案の簡易スタンドの側面図である。
【図４】    本考案の簡易スタンドの斜視図である。
【図５】    本考案の簡易スタンドの背面図である。
【符号の説明】
【０００８】１  表台紙
２  裏台紙兼支脚部
３  補助支脚
【図１】
0003137831.tif 000003
【図２】
0003137831.tif 000004
【図３】
0003137831.tif 000005
【図４】
0003137831.tif 000006
【図５】
0003137831.tif 000007
【図５】
0003137831.tif 000008
【手続補正書】
【提出日】平成19年9月26日(2007.9.26)
【手続補正１】
【補正対象書類名】明細書
【補正対象項目名】０００７
【補正方法】変更
【補正の内容】
【０００７】
【図１】本考案の簡易スタンドの正面図である。
【図２】本考案の簡易スタンドの背面図である。
【図３】本考案の簡易スタンドの側面図である。
【図４】本考案の簡易スタンドの斜視図である。
【図５】本考案の簡易スタンドの背面図である。
【図６】本考案の横位置式簡易スタンドの背面図である。
【手続補正２】
【補正対象書類名】図面
【補正対象項目名】全図
【補正方法】変更
【補正の内容】
【図１】
0003137831.tif 000009
【図２】
0003137831.tif 000010
【図３】
0003137831.tif 000011
【図４】
0003137831.tif 000012
【図５】
0003137831.tif 000013
【図６】
0003137831.tif 000014